(57)【要約】【課題】高周波ノイズ及びインパルスのない通信用音声レシーバーの構造を提供する。【解決手段】主に音声レシーバー本体１０、及び該音声レシーバー本体内部空間中に設置するスピーカー２０により構成する。該音声レシーバー本体の片側側面には少なくとも一個の出音孔１１を穿設する。該スピーカーの外周縁面は共鳴板２１を環状に設置し、該共鳴板の少なくとも片側の側面の適当な位置は、該音声レシーバー本体の内壁面に固定される。該スピーカー上の二個の音声出力端が対応する音圧高低強度値の低いものは、該音声レシーバー本体の出音孔に対して出力し、これにより、人が受話使用するに当たって、インパルス音圧による傷害を防止する。さらに、二種の異なるサウンドウェイブが交差し干渉し合うため、高周波ノイズが消去され、通話が明晰となる。【選択図】図１
2004500747.tif 000002
【特許請求の範囲】
【請求項１】
主に音声レシーバー本体、及び該音声レシーバー本体内部空間中に設置するスピーカーにより構成し、
該音声レシーバー本体の片側側面には少なくとも一個の出音孔を穿設し、
該スピーカーの外周縁面には共鳴板を環状に設置し、該共鳴板の少なくとも片側の側面の適当な位置は該音声レシーバー本体の内壁面に固定され、該スピーカー上の二個の音声出力端が対応する音圧高低強度値の低いものが、該音声レシーバー本体の出音孔に対して出力することを特徴とする高周波ノイズ及びインパルスのない通信用音声レシーバーの構造。
【請求項２】
前記共鳴板の外縁はちょうど前記音声レシーバー本体の内壁面に密着し、かつ前記共鳴板の板面上の適当な位置には少なくとも一個の連通孔を穿設することを特徴とする請求項１記載の高周波ノイズ及びインパルスのない通信用音声レシーバーの構造。
【発明の詳細な説明】
【０００１】
【発明の属する技術分野】
本発明は一種の通信用音声レシーバーの構造に関する。特に一種のハンドセット音声レシーバーの構造で、該音声レシーバー中のスピーカー構造が発する音声は、インパルスがなく、高周波ノイズは濾過され、音質は明瞭自然な出力音域を具え、通話の品質を向上させる通信用音声レシーバーの構造に係る。
【０００２】
【従来の技術】
通信用の音声レシーバーは遠方の音声電気エネルギーを機械エネルギーに変換し、さらに該機械エネルギーを音声エネルギーに変換する装置である。一般の音声電気エネルギー中には、その伝送媒体中において多くの電気ノイズを含んでいる。しかも、該電気ノイズは音声レシーバーによる二度のエネルギー変換を経ても、自動的に消失することはなく、転換後の音声エネルギー信号中に存在している。これにより、出力する受話音質中にはしばしば高周波のビービー音や、低周波のウォーウォー音等のノイズ及び高音圧インパルスが現れる。これでは受話音質が劣悪となるばかりでなく、時には聞き取りにくい、さらには全く聞き取れない状況も発生する。
加えて、上記伝送媒体中の電気ノイズは受話品質中にノイズを残す一因となるばかりでなく、他の電気回路システムに発生する熱ノイズ及びＩＣ（或いは半導体）が引き起こすノイズ等も公知の音声レシーバーが未解決の問題である。
【０００３】
【発明が解決しようとする課題】
上記公知構造の欠点を解決するため、本発明は高周波ノイズ及びインパルスのない通信用音声レシーバーの構造の提供を課題とする。
それは、音声レシーバー内部のスピーカー構造を利用することにより、それが発する二種の異なるサウンドウェイブは、該音声レシーバー内部において相互に干渉作用を受け、該出力音域中の中周波数範囲（２００ＨＺ〜４ＨＺ）部分は増強共鳴特性の効果を具える。その高低音周波部分は該音域中の高周波ノイズを消去後、耳の受話に供し、これにより音質は明瞭、自然となり、高周波ノイズのない高品質音域を達成する。
さらにそれは、本発明の使用中において、ハンドセット中の音声レシーバー部位は耳に密着するため、該音声レシーバー内部のスピーカーの二種の音声出力端の相対音圧高低強度値の低いものが耳に向かって出力し、低強度音圧の出力音域を耳は受話することとなるため、聴覚能力の保護を達成し、該音声レシーバーが強大なノイズを発することによる、耳の衝撃を微弱とし、傷害、或いは疼痛等の状況の発生を防止する。
【０００４】
【課題を解決するための手段】
上記課題を解決するため、本発明は下記の高周波ノイズ及びインパルスのない通信用音声レシーバーの構造を提供する。
それは主に音声レシーバー本体、及び該音声レシーバー本体内部空間中に設置するスピーカーにより構成する。該音声レシーバー本体の片側側面には少なくとも一個の出音孔を穿設する。該スピーカーの外周縁面は共鳴板を環状に設置し、該共鳴板の少なくとも片側の側面の適当な位置は、該音声レシーバー本体の内壁面に固定される。該スピーカー上の二個の音声出力端が対応する音圧高低強度値の低いものは、該音声レシーバー本体の出音孔に対して出力し、これにより人が受話使用するに当たって、インパルス音圧による傷害を防止する。さらに、二種の異なるサウンドウェイブが交差し干渉し合うため、高周波ノイズが消去され通話が明晰となる。
【０００５】
【発明の実施の形態】
図１、２が示すように、本発明は主に音声レシーバー本体１０、及び該音声レシーバー本体１０内部空間中に設置するスピーカー２０により構成する。
該音声レシーバー本体１０の耳Ａに接する側面には少なくとも一個の出音孔１１を穿設する。
該スピーカー２０の外周縁面は共鳴板２１を環状に設置し、該共鳴板２１の少なくとも片側の側面の適当な位置は、該音声レシーバー本体１０の内壁面に固定される。該スピーカー２０上の二個の音声出力端が対応する音圧高低強度値の低いものは、該音声レシーバー本体１０の出音孔１１に対して出力する。また該スピーカー２０の低強度音圧音源出力端２２は該音声レシーバー本体１０の出音孔１１に比較的近く、該スピーカー２０の高強度音圧音源出力端２３は該音声レシーバー本体１０の出音孔１１より比較的遠い。
【０００６】
図１、２が示すように、本発明を耳Ａに当て音声を受話する時、該音声レシーバー本体１０の出音孔１１が発する音域は、該スピーカー２０の低強度音圧音源出力端２２が発する音声に属する。該音声の音域には一切の高強度の音圧を含まないため、人が受話使用するに当たって、突出する高圧音声を受け、耳Ａが衝撃により傷害、或いは疼痛を受ける等の状況が発生する恐れはない。
しかも、同時に該スピーカー２０の高強度音圧音源出力端２３が伝送する高圧音域は、該音声レシーバー本体１０と該共鳴板２１間の空隙δを越え、該低強度音圧の音域と該低強度音圧音源出力端２２前において出会うため、該高強度音圧音域中のエネルギーはこの過程で消耗され尽くしてしまう。
該高強度音圧と該低強度音圧の二種の異なるサウンドウェイブは相互に干渉作用を生じ、相互のサウンドウェイブが同一（両者の位相は３６０度の整倍数）であれば周波数特性は増加するが、それは振幅の和である。しかも、両者の位相が反対（両者の位相が１８０度の奇数倍数）であれば、サウンドウェイブの交差により、周波数特性は大幅に減少する。よって、本発明は二種の異なるサウンドウェイブが交差、干渉後に形成する音域を利用し、その中周波数（２００ＨＺ〜４ＨＺ）の共鳴特性を増強し、高低音周波数中の高周波ノイズを消去する。そのため、該音声レシーバー本体１０の出音孔１１を通して耳に聞こえる音質は明瞭、自然で、高周波ノイズがない高品質音域により、該音声レシーバーの通信品質を向上させる。
さらに、本発明中の該共鳴板２１は、螺合、粘着、嵌合、支柱固定等のあらゆる固定方式を用い、該音声レシーバー本体１０の内壁面に固定可能である。
【０００７】
次に図３、４が示すように本発明の別種の実施例では、共鳴板２４外縁はちょうど該音声レシーバー本体１０の内壁面に密着し、かつ該共鳴板２４の板面上の適当な位置には少なくとも一個の連通孔２５を穿設する。該連通孔２５を利用し、該スピーカー２０の高強度音圧音源出力端２３が発する音域は、該連通孔２５により該低強度音圧音源出力端２２が出力する音域と、該低強度音圧音源出力端２２間前において出会う。こうして、上記実施例同様、高周波ノイズ及びインパルスがない等の多重機能を達成する。
【０００８】
【発明の効果】
上記のように、本発明は音声レシーバー内部のスピーカー構造を利用することにより、相互干渉作用を生じさせ、高周波ノイズを消去することにより音質を明晰、自然とし、高品質音域を達成する。さらに、本発明では二種の音声出力端の相対音圧高低強度値の低いものが耳に向かって出力するため、音声レシーバーが強大なノイズを発することによる耳の傷害、疼痛、或いは聴覚傷害の発生を防止する。
【図面の簡単な説明】
【図１】
本発明の断面指示図である。
【図２】
図１のＡ−Ａ線における断面指示図である。
【図３】
本発明別種の実施例の断面指示図である。
【図４】
図３のＢ−Ｂ線における断面指示図である。
【符号の説明】
１０  音声レシーバー本体
１１  出音孔
２０  スピーカー
２１  共鳴板
２２  低強度音圧音源出力端
２３  高強度音圧音源出力端
２４  共鳴板
２５  連通孔
３０  スピーカー
Ａ  耳
δ  空隙
【図１】
2004500747.tif 000003
【図２】
2004500747.tif 000004
【図３】
2004500747.tif 000005
【図４】
2004500747.tif 000006
【国際公開パンフレット】
2004500747.tif 000007
2004500747.tif 000008
2004500747.tif 000009
2004500747.tif 000010
2004500747.tif 000011
2004500747.tif 000012
2004500747.tif 000013
2004500747.tif 000014
【国際公開パンフレット（コレクトバージョン）】
2004500747.tif 000015
【国際調査報告】
2004500747.tif 000016